(57)【特許請求の範囲】
【請求項１】
撮影待機状態で撮像手段により撮像した被写体画像を表示手段に取り込み画像として表示しながら、撮影操作に応答して前記被写体画像を記億するカメラ装置において、
仮撮影待機状態で、前記撮像手段により撮像された仮撮影時被写体画像と前記仮撮影時被写体画像内で使用者が所望する位置に配置した所定の位置指定画像を合成する構図教示画像であって、位置指定画像の合成位置が使用者により要求された位置を示す構図データと前記仮撮影時被写体画像とを記憶する構図データ記憶手段と、
本撮影待機状態で、前記構図データ記憶手段に記憶されている構図データに基づいて再配置された前記位置指定画像と前記仮撮影時被写体画像を合成した構図教示画像を、前記撮像手段により撮像された本撮影時被写体画像に撮影者が識別できる形態で逐次合成し、合成した画像を前記表示手段に表示させる表示制御手段と、
撮影操作に応じて前記本撮影時被写体画像を記憶する記憶手段と
を備えたことを特徴とするカメラ装置。
【請求項２】
前記構図教示画像における位置指定画像の合成位置を所定の操作に応じて変更する位置変更手段を備えたことを特徴とする請求項１記載のカメラ装置。
【請求項３】
前記位置指定画像を所定の操作に応じて修正する修正手段を備えたことを特徴とする請求項１又は２記載のカメラ装置。
【請求項４】
記億されている画像から指定された一部を切り出す切り出し手段と、
この切り出し手段により切り出された部分画像を記憶する部分画像記憶手段とを備え、
前記構図データ記憶手段は、前記撮像手段により撮像された前記仮撮影時被写体画像と前記被写体画像内で使用者が所望する位置に配置した前記部分画像記憶手段に記憶されている部分画像とを合成した画像であって、部分画像の合成位置が使用者により要求された位置を示す構図データと前記仮撮影時被写体画像とを記憶することを特徴とする請求項１，２又は３記載のカメラ装置。
【請求項５】
撮影待機状態で撮像手段により撮像した被写体の画像を表示手段に取り込み画像として表示しながら、撮影操作に応答して被写体の画像を記録するカメラ装置における被写体の撮影方法であって、
仮撮影待機状態で、前記撮像手段により撮像された仮撮影時被写体画像と前記仮撮影時被写体画像内で使用者が所望する位置に配置した所定の位置指定画像とを合成する構図教示画像であって、位置指定画像の合成位置が使用者により要求された位置を示す構図データを記憶する工程と、
本撮影待機状態で、予め記憶しておいた前記構図データに基づいて再配置された前記位置指定画像と前記仮撮影時被写体画像を合成した構図教示画像を、前記撮像手段により撮像された本撮影時被写体画像に撮影者に識別させる形態で逐次合成し、前記表示手段に表示しながら撮影者に撮影操作を行わせる工程と、
撮影操作に応答して前記本撮影時被写体画像を記録する工程と
からなる被写体の撮影方法。
【請求項６】
撮影待機状態で撮像手段により撮像した被写体の画像を表示手段に取り込み画像として表示しながら、撮影操作に応答して前記被写体の画像を記録するカメラ装置が有するコンピュータに、
仮撮影待機状態で、前記撮像手段により撮像された仮撮影時被写体画像と前記仮撮影時被写体画像内で使用者が所望する位置に配置した所定の位置指定画像とを合成する構図教示画像であって、位置指定画像の合成位置が使用者により要求された位置を示す構図データを構図データ記憶手段に記憶させる処理と、
本撮影待機状態で、前記構図データ記憶手段に記憶されている構図データに基づいて再配置された前記位置指定画像と前記仮撮影時被写体画像を合成した構図教示画像を、前記撮像手段により撮像された本撮影時被写体画像に撮影者に識別させる形態で逐次合成し、合成した画像を前記表示手段に表示しながら撮影者に撮影操作を行わせ前記本撮影時被写体画像を記録する処理と
を実行させるためのプログラム。
【発明の詳細な説明】
【０００１】
【発明の属する技術分野】
本発明は、撮影した被写体像を画像データとして記録するデジタルカメラに用いて好適なカメラ装置及び被写体の撮影方法に関する。
【０００２】
【従来の技術】
現在、撮影した画像を画像データとして各種の記録媒体に記録するデジタルスチルカメラ（以下、デジタルカメラ）においては、撮影技術の有無に関係なく、簡単な操作で質の高い写真が撮れるよう各種の機能が設けられている。例えばＡＦ（自動合焦制御）、ＡＥ（自動露出制御）、ＡＷＢ（オートホワイトバランス）、撮影シーンに適した撮影条件（シャッタースピード、絞り、ホワイトバランス等）の自動設定といった機能がそうである。また、デジタルカメラでは、ビューファインダとしてスルー画像を表示したり、記録した画像を表示したりする液晶ディスプレイを備える等、その特性を生かすことにより、従前の銀塩カメラでは得られない機能についても拡大される傾向にある。
【０００３】
【発明が解決しようとする課題】
しかしながら、上記のように使い勝手の向上や機能の多様化が進んでいるものの、デジタルカメラにおいて「写真を撮る」といった基本的な機能を考えると、次のような問題があった。
【０００４】
すなわち、例えば観光地やテーマパーク、遊園地等へ出かけ、そこで自分が写った写真を撮りたいとき、三脚がなければ、その場に居合わせた第三者にカメラを渡して撮影操作を依頼することとなる。しかし、そのような場合、撮影を依頼する側と依頼された側との感覚や撮影技術等の違いから、撮影を依頼した者が意図した構図の写真が得られないことが多々あった。つまり、使い勝手の向上や機能の多様化が進んでいるものの、自分が写った写真の撮影に際しては銀塩カメラ以来の不便さが依然として解消されていない現状にある。
【０００５】
本発明は、かかる実情に鑑みなされたものであり、自分が写った写真の撮影時における不便さを解消することができるカメラ装置及び被写体の撮影方法と、それを実現するためのプログラムを提供することを目的とする。
【０００６】
【課題を解決するための手段】
前記課題を解決するために請求項１の発明にあっては、撮影待機状態で撮像手段により撮像した被写体画像を表示手段に取り込み画像として表示しながら、撮影操作に応答して前記被写体画像を記億するカメラ装置において、仮撮影待機状態で、前記撮像手段により撮像された仮撮影時被写体画像と前記仮撮影時被写体画像内で使用者が所望する位置に配置した所定の位置指定画像を合成する構図教示画像であって、位置指定画像の合成位置が使用者により要求された位置を示す構図データと前記仮撮影時被写体画像とを記憶する構図データ記憶手段と、本撮影待機状態で、前記構図データ記憶手段に記憶されている構図データに基づいて再配置された前記位置指定画像と前記仮撮影時被写体画像を合成した構図教示画像を、前記撮像手段により撮像された本撮影時被写体画像に撮影者が識別できる形態で逐次合成し、合成した画像を前記表示手段に表示させる表示制御手段と、撮影操作に応じて前記本撮影時被写体画像を記憶する記憶手段とを備えたものとした。
【０００７】
かかる構成においては、所定の撮影モードによる撮影待機状態にあるとき、表示手段には、記憶されていた構図データに基づく構図教示画像が、そのとき撮像された画像（通常の取り込み画像）と逐次合成されて表示手段に表示される。そのとき表示手段の画面内では、通常の取り込み画像部分のみが撮影者によるフレーミングに応じて移動する。したがって、使用者は、例えば所望する構図の取り込み画像を表示させ、かつ位置指定画像の位置に、主たる被写体を想定した位置を要求しておくことにより、所定の撮影モードにおいて、全体の構図、及び構図内での主たる被写体の配置が自分が意図したものと同じ写真を他の者に簡単に撮影させることができる。
【０００８】
また、請求項２の発明にあっては、前記構図教示画像における位置指定画像の合成位置を所定の操作に応じて変更する位置変更手段を備えたものとした。
【０００９】
かかる構成においては、構図教示画像における主たる被写体の配置を必要に応じて自在かつ正確に調整することができる。
【００１０】
また、請求項３の発明にあっては、前記位置指定画像を所定の操作に応じて修正する修正手段を備えたものとした。
【００１１】
かかる構成においても、構図教示画像における主たる被写体の前後方向の配置や向き等を必要に応じて自在かつ正確に調整することができる。
【００１２】
また、請求項４の発明にあっては、記億されている画像から指定された一部を切り出す切り出し手段と、この切り出し手段により切り出された部分画像を記憶する部分画像記憶手段とを備え、前記構図データ記憶手段は、前記撮像手段により撮像された前記仮撮影時被写体画像と前記被写体画像内で使用者が所望する位置に配置した前記部分画像記憶手段に記憶されている部分画像とを合成した画像であって、部分画像の合成位置が使用者により要求された位置を示す構図データと前記仮撮影時被写体画像とを記憶するものとした。
【００１３】
かかる構成においては、実際に撮影された画像の主たる被写体を位置指定画像として使用することができ、構図教示画像を、最終的に記録したい画像のイメージにより近い画像とすることができる。
【００１４】
また、請求項５の発明にあっては、撮影待機状態で撮像手段により撮像した被写体の画像を表示手段に取り込み画像として表示しながら、撮影操作に応答して被写体の画像を記録するカメラ装置における被写体の撮影方法であって、仮撮影待機状態で、前記撮像手段により撮像された仮撮影時被写体画像と前記仮撮影時被写体画像内で使用者が所望する位置に配置した所定の位置指定画像とを合成する構図教示画像であって、位置指定画像の合成位置が使用者により要求された位置を示す構図データを記憶する工程と、本撮影待機状態で、予め記憶しておいた前記構図データに基づいて再配置された前記位置指定画像と前記仮撮影時被写体画像を合成した構図教示画像を、前記撮像手段により撮像された本撮影時被写体画像に撮影者に識別させる形態で逐次合成し、前記表示手段に表示しながら撮影者に撮影操作を行わせる工程と、撮影操作に応答して前記本撮影時被写体画像を記録する工程とからなる被写体の撮影方法とした。
【００１５】
かかる方法によれば、所定の撮影モードによる撮影待機状態にあるとき、表示手段には、記憶されていた構図データに基づく構図教示画像が、そのとき撮像された画像（通常の取り込み画像）と逐次合成されて表示手段に表示される。そのとき表示手段の画面内では、通常の取り込み画像部分のみが撮影者によるフレーミングに応じて移動する。したがって、使用者は、例えば所望する構図のスルー画像を表示させ、かつ位置指定画像の位置に、主たる被写体を想定した箇所を要求しておくことにより、所定の撮影モードにおいて、全体の構図、及び構図内での主たる被写体の配置が自分が意図したものと同じ写真を他の者に簡単に撮影させることができる。
【００１６】
また、請求項６の発明にあっては、撮影待機状態で撮像手段により撮像した被写体の画像を表示手段に取り込み画像として表示しながら、撮影操作に応答して前記被写体の画像を記録するカメラ装置が有するコンピュータに、仮撮影待機状態で、前記撮像手段により撮像された仮撮影時被写体画像と前記仮撮影時被写体画像内で使用者が所望する位置に配置した所定の位置指定画像とを合成する構図教示画像であって、位置指定画像の合成位置が使用者により要求された位置を示す構図データを構図データ記憶手段に記憶させる処理と、本撮影待機状態で、前記構図データ記憶手段に記憶されている構図データに基づいて再配置された前記位置指定画像と前記仮撮影時被写体画像を合成した構図教示画像を、前記撮像手段により撮像された本撮影時被写体画像に撮影者に識別させる形態で逐次合成し、合成した画像を前記表示手段に表示しながら撮影者に撮影操作を行わせ前記本撮影時被写体画像を記録する処理とを実行させるためのプログラムとした。
以上
【００１７】
【発明の実施の形態】
以下、本発明の一実施の形態を図にしたがって説明する。図１は、本発明のカメラ装置であるデジタルカメラ１の電気的構成を示すブロック図である。このデジタルカメラ１は、ＡＦ、ＡＥ、ＡＷＢ等の一般的な機能を備えたものであって、撮像手段であるＣＣＤ２とＤＳＰ／ＣＰＵ３とを有している。ＣＣＤ２は、図示しないフォーカスレンズ及びズームレンズを介して結像された被写体の光学像を光電変換し、被写体の光学像に応じたアナログの撮像信号を出力する。ＤＳＰ／ＣＰＵ３は、ＪＰＥＧ方式等による画像データの圧縮・伸張を含む各種デジタル信号処理機能を有するとともにデジタルカメラ１の各部を制御するワンチップマイコンである。
【００１８】
ＤＳＰ／ＣＰＵ３には、ＣＣＤ２を駆動するＴＧ（Timing Generator）４が接続されており、ＴＧ４には、ＣＣＤ２から出力される撮像信号が入力するユニット回路５が接続されている。ユニット回路５は、入力した撮像信号をサンプリングして保持するＣＤＳと、その撮像信号を増幅するゲイン調整アンプ（ＡＧＣ）、増幅された撮像信号をデジタルの撮像信号に変換するＡ／Ｄ変換器（ＡＤ）から構成されており、ＣＣＤ２の出力信号はユニット回路５を経てデジタル信号としてＤＳＰ／ＣＰＵ３に送られる。
【００１９】
また、ＤＳＰ／ＣＰＵ３には、表示装置６、キー入力部７、レンズ駆動部８が接続されるとともに、アドレス・データバス９を介してＤＲＡＭ１０、内蔵フラッシュメモリ１１、カード・インターフェイス１２が接続されている。また、カード・インターフェイス１２には、図示しないカメラ本体のカードスロットに着脱自在に装着されたメモリ・カード１３が接続されている。レンズ駆動部８は、前記フォーカスレンズ及びズームレンズのそれぞれを光軸方向に駆動するためのステッピングモータ、及びそれらをＤＳＰ／ＣＰＵ３から送られる制御信号に応じて駆動するモータドライバから構成される。
【００２０】
ＤＲＡＭ１０は、撮影待機でＣＣＤ２によって撮像され、デジタル化された被写体の画像データを一時記憶するバッファであり、ＤＲＡＭ１０に一時記憶された画像データは圧縮され、最終的にはメモリ・カード１３（画像記録手段）に記録される。さらにＤＲＡＭ１０のメモリ空間には、それをＤＳＰ／ＣＰＵ３のワーキングメモリとして使用するための作業エリアが予め確保されており、それによりＤＲＡＭ１０は本発明の構図データ記憶手段、部分画像記憶手段として機能する。また、内蔵フラッシュメモリ１１には、ＤＳＰ／ＣＰＵ３の動作プログラムと、ＤＳＰ／ＣＰＵ３の各部の制御に使用する各種データ、例えば後述するように本発明の位置指定画像である人型画像のイメージデータ等が記憶されている。また、ＤＳＰ／ＣＰＵ３の動作プログラムは別に記憶した専用メモリとしてＲＯＭを備えていてもよい。
【００２１】
そして、ＤＳＰ／ＣＰＵ３は上記動作プログラムに従い動作することにより、撮影時には前記レンズ駆動部８の駆動モータによるフォーカスレンズの位置制御（ＡＦ制御）や、ＣＣＤ２における電荷蓄積時間（シャッター速度）、及びユニット回路５のゲイン調整アンプ（ＡＧＣ）のゲイン調整等によるＡＥ制御を行う。また、後述する事前撮影モードでの動作に際しては本発明の表示制御手段、位置変更手段、修正手段、切り出し手段として機能する。
【００２２】
表示装置６は本発明の表示手段であって、カラーＬＣＤとその駆動回路とを含み、撮影待機モードではＣＣＤ２によって撮像された被写体画像をスルー画像として表示し、再生モードでは、メモリ・カード１３から読み出され伸張された記録画像を表示する。キー入力部７はシャッターキー、電源キー、モード選択キー、方向指示・決定キー等の複数の操作キーを含み、使用者によるキー操作に応じたキー入力信号をＤＳＰ／ＣＰＵ３に出力する。
【００２３】
次に、以上の構成からなるデジタルカメラ１の本発明に係る動作を、図２に示した前記ＤＳＰ／ＣＰＵ３の処理手順を示すフローチャートに従って説明する。なお、ここでは、デジタルカメラ１のユーザーが、例えば観光地やテーマパーク、遊園地等へ出かけ、そこで自分が写った写真を他人（同行者や、その場に居合わせた第三者）に撮影してもらう場合を想定して説明する。
【００２４】
ＤＳＰ／ＣＰＵ３は電源のオン操作とともに動作を開始し、ユーザーにより事前撮影モードが選択されたか否かを判別する（ステップＳ１）。事前撮影モードは、デジタルカメラ１に複数用意されている撮影モードのうちの１つであり、このモードが選択されなければ（ステップＳ１でＮＯ）、それ以外の撮影モード等の他のモードでの動作を実行する（ステップＳ１０）。一方、ユーザーが事前撮影モードを選択すると（ステップＳ１でＹＥＳ）、表示装置６にメッセージを表示する等の方法により、ユーザーに「撮影」か、又は「人型画像の作成」かのいずれかを選択させ、ここでユーザーが所定のキー操作により「撮影」を選択すると（ステップＳ２でＹＥＳ）、仮撮影処理を実行する（ステップＳ３）。
【００２５】
図３は仮撮影処理の手順を示すフローチャート、図４はその説明図である。図３に示したように仮撮影処理では、まず内蔵フラッシュメモリ１１に記憶されている人型画像Ｇ１のイメージデータをＤＲＡＭ１０の前記作業エリアに転送して展開する（ステップＳ３１）。なお、このとき内蔵フラッシュメモリ１１に複数種の人型画像のイメージデータが記憶されているときには、それらを表示装置６に表示し、ユーザーに所望する人型画像を選択させるためのキー操作を行わせ、選択された人型画像のイメージデータを転送する。
【００２６】
次に、ＣＣＤ２により光電変換された被写体像（光学像）をユニット回路５によりデジタルの撮像信号に変換し、変換した被写体の画像データ、つまり通常の撮影モードにおける撮影待機状態でスルー画像として表示する被写体画像Ｇ２のデータ（図４参照）のデータをＤＲＡＭ１０に転送する（ステップＳ３２）。引き続き、転送した被写体画像Ｇ２に人型画像Ｇ１を合成し（ステップＳ３３）、その合成画像Ｇ３を表示装置６に表示する（ステップＳ３４）。そして、上記ステップＳ３２〜Ｓ３４の処理を、ユーザーによりシャッターキーが押されるまで繰り返す（ステップＳ３５でＮＯ）。その間には、ユーザーにより方向キーが押されたら、それに応じて被写体画像Ｇ２に対する人型画像Ｇ１の合成位置を移動する（図３では省略）。
【００２７】
ここで、ユーザーは、まず表示装置６の表示画面を見ながらフレーミングを行い、撮影してほしい写真の構図を決定した後、所定のキー操作によって構図内で自分が収まりたい場所に人型画像Ｇ１を移動し、その状態でシャッターキーを押して仮撮影つまり事前操作を行う。
【００２８】
一方、デジタルカメラ１では、シャッターキーが押されると（ステップＳ３５でＹＥＳ）、その時点の撮影画像（被写体画像Ｇ２）、及びそれに対する人型画像Ｇ１の合成位置を示す位置情報の各データ、つまり被写体画像Ｇ２に人型画像Ｇ１がユーザーの要求に応じた位置に合成された構図教示画像Ｇ４（図４参照）に関する構図データと、撮影条件情報、例えばシャッタースピード、絞り値といったＡＥ制御での設定データ等をメモリ・カード１３に記憶して（ステップＳ３６）、仮撮影処理を終了し、図２の処理に戻る。
【００２９】
そして、例えば表示装置６の画面上に、前述した人型画像Ｇ１の位置やサイズ等を変更するか否かを選択させるメッセージを表示し、前記変更の要否を確認する（ステップＳ４）。ここでユーザーが変更を選択したときには（ステップＳ４でＹＥＳ）、人型画像設定処理を実行する（ステップＳ５）。
【００３０】
図５は人型画像設定処理の手順を示すフローチャート、図６はその説明図である。図５に示したように人型画像設定処理では、まず前述した仮撮影時の撮影画像（被写体画像Ｇ２）のデータをメモリ・カード１３から読み出し、それをＤＲＡＭ１０の作業エリアに転送する（ステップＳ５１）。引き続き、人型画像Ｇ１のデータを、前述した位置情報を反映させるようにＤＲＡＭ１０の作業エリアに転送し（ステップＳ５２）、そこで前記撮影画像（被写体画像Ｇ２）と人型画像Ｇ１とを合成し（ステップＳ５３）、合成した画像つまり前述した構図教示画像Ｇ４（図６参照）を表示装置６に表示する（ステップＳ５４）。
【００３１】
次に、ユーザーに、方向キー及びその他キーを用いた人型画像Ｇ１の修正操作、すなわち仮撮影処理で説明した合成位置の移動（図４参照）や、サイズの変更（拡大又は縮小）、回転といった修正操作、または決定キーによる設定内容の決定操作を行わせ、いずれかの修正操作があったときには（ステップＳ５５でＮＯ）、修正操作の内容を反映させるべく上記ステップＳ５２〜Ｓ５４の処理を繰り返すことによって、修正後の構図教示画像Ｇ４を表示装置６に表示する（図６の下の画像は、拡大、移動の修正操作が行われた場合の例である）。
【００３２】
かかる間にユーザーは、仮撮影時に決めた自分の位置を、例えばカメラ側に近づけたい場合には人型画像Ｇ１を拡大し、逆に遠ざけたい場合には人型画像Ｇ１を縮小し、決定キーを押す。
【００３３】
デジタルカメラ１は、設定内容の決定操作があったら（ステップＳ５５でＹＥＳ）、変更後における人型画像Ｇ１の位置情報や、その拡大又は縮小率（サイズ変更があった場合）、角度（回転操作があった場合）に関する設定データをメモリ・カード１３に記憶し（ステップＳ５６）、処理を終了する。なお、かかる人型画像設定処理と同様の処理を、前述した仮撮影処理でユーザーがシャッターキーを押す以前（ステップＳ３２からステップＳ３４の間）に行わせるようにしてもよい。また、人型画像設定処理でユーザーが行うことができる修正操作を、人型画像Ｇ１のサイズの変更（拡大又は縮小）と、回転だけとしてもよい。
【００３４】
そして、以上の人型画像設定処理が終了したら図２の処理に戻り、再びユーザーから変更要求があったか否かを判別するとともに、ユーザーから変更要求がなければ（ステップＳ４でＮＯ）、続いて本撮影処理を実行する（ステップＳ６）。
【００３５】
図７は本撮影処理の手順を示すフローチャート、図８はその説明図である。図７に示したように本撮影処理では、まず仮撮影処理でメモリ・カード１３に記憶しておいた前記構図データを読み出し、仮撮影時の撮影画像（被写体画像Ｇ２）と人型画像Ｇ１とからなる構図教示画像Ｇ４をＤＲＡＭ１０の作業エリアにて合成（再合成）する（ステップＳ６１）。
【００３６】
次に、ＣＣＤ２により撮像された被写体画像Ｇ２（図８参照）をＤＲＡＭ１０へ転送し（ステップＳ６２）、そこで被写体画像Ｇ２と構図教示画像Ｇ４とを合成し（ステップＳ６３）、その合成画像Ｇ５を表示装置６に表示させる（ステップＳ６４）。なお、上記ステップＳ６３においては、構図教示画像Ｇ４の表示度合いを被写体画像Ｇ２よりも下げて構図教示画像Ｇ４を半透明状態とすることにより、被写体画像Ｇ２を認識可能な状態とする合成処理を行う（なお、図８は参考図であり、半透明状態の表現は省略してある）。そして、上記ステップＳ６２〜Ｓ６４の処理を、ユーザーによりシャッターキーが押されるまで繰り返す（ステップＳ６５でＮＯ）。その間のシャッターキーが押されるまでの待機状態では、被写体画像Ｇ２（通常のスルー画像部分）のみが、撮影者によるフレーミングに応じて表示画面内で変化（移動）する合成画像Ｇ５が表示装置６に表示されることとなる。
【００３７】
ユーザーは係るタイミングで、同行者やその場に居合わせた任意の第三者にカメラを手渡し、自分は予め決めておいた場所に移動する。その際、撮影者（同行者等）には、表示装置６に表示されている合成画像Ｇ５を見ながら、まず通常のスルー画像に相当する被写体画像Ｇ２の背景部分を構図教示画像Ｇ４と一致させることにより画面全体の構図を決定してもらい、次に撮影対象となったユーザー（主たる被写体）が構図教示画像Ｇ４の人型画像（Ｇ１）と重なる状態（合成画像Ｇ６参照）となるように、例えば「もう少し右にずれてください」といった声をかけてもらうなど、自分の立ち位置等を指示してもらう。そして、ユーザーが構図教示画像Ｇ４の人型画像（Ｇ１）と重なる状態となったらシャッターキーを押してもらう。つまり本撮影を行ってもらう。この時、必然的にＡＦやＡＥは人型画像（Ｇ１）の部分を重点的に行ったものとなる。つまり、撮影対象となったユーザー（主たる被写体）にピントが合うことになる。
【００３８】
そして、デジタルカメラ１は、シャッターキーが押されたら（ステップＳ６５でＹＥＳ）、その時点で最終的な撮像を行い撮影画像のデータをＤＲＡＭ１０に転送し（ステップＳ６６）、本撮影処理を終了する。
【００３９】
しかる後、図２の処理に戻り、前記撮影画像を圧縮してメモリ・カード１３に保存し（ステップＳ７）、前述した仮撮影処理でメモリ・カード１３に保存しておいた撮影画像（被写体画像Ｇ２）のデータ、及び位置情報等の人型画像Ｇ１の設定内容に関するデータと撮影条件情報とを消去する（ステップＳ８）。
【００４０】
これにより、ユーザーは、全体の構図、及びその構図内における自分の位置が、自分が意図していたものと全く同じ写真を得ることができる。したがって、自分が写った写真の撮影時における不便さから開放されることとなる。さらにＡＦ、ＡＥは人型画像（Ｇ１）の部分に対して行うので、背景や別の物にピントが合ったりしてしまうことを防ぎ、撮影対象となったユーザー（主たる被写体）をきれいに撮影することができる。
【００４１】
また、ユーザーは前述したように、構図教示画像Ｇ４における人型画像Ｇ１の位置や大きさ等を変更することができる。よって、所望する構図内での自分の位置を自在かつ正確に調整でき、使い勝手がよい。しかも、その調整が仮撮影を終えた後においても可能であるため、調整作業を楽な体勢で行うことができる。すなわち仮撮影を終えた後における調整作業では、構図教示画像Ｇ４を構成する仮撮影時の撮影画像Ｇ２が表示装置６に固定表示されており、ユーザーはカメラ本体を位置固定している必要がないためである。
【００４２】
一方、デジタルカメラ１においては、ユーザーにより事前撮影モードが選択された後、それに続いて人型画像の作成が選択されたときには（ステップＳ１でＹＥＳ、ステップＳ２でＮＯ）、人型画像作成処理を実行する（ステップＳ９）。
【００４３】
図９は人型画像作成の手順を示すフローチャート、図１０はその説明図である。図９に示したように人型画像作成では、まずユーザーに、メモリ・カード１３に保存されている撮影画像から人型画像として使用する撮影画像を選択させるとともに、選択された撮影画像をメモリ・カード１３から読み出しＤＲＡＭ１０の作業エリアに転送して、それを表示装置６に表示させる（ステップＳ９１）。次に、表示画面（撮影画像Ｇ７）上に縁取り枠Ａ（図１０で矩形の枠）を表示し、ユーザーに所定のキー操作を行わせることにより、縁取り枠Ａの位置と大きさを決定させる（ステップＳ９２）。しかる後、縁取り枠Ａによって縁取りされた領域の画像（部分画像）を切り出し、それを新たな人型画像Ｇ１として内蔵フラッシュメモリ１１に保存し（ステップＳ９３）、処理を終了して図２の処理に戻る。
【００４４】
これにより、構図教示画像Ｇ４を構成する人型画像として、メモリ・カード１３に保存されている撮影画像の主たる被写体を使用することができる。つまり当初から内蔵フラッシュメモリ１１に保存されていたものと同様にして、前述した仮撮影処理で使用可能となる。図１１は、その場合における図４に対応する図であって、その場合には、構図教示画像Ｇ４を、最終的に記録したい画像のイメージにより近い画像とすることができる。その結果、前述した本撮影時における撮影者によるフレーミング作業を行いやすくすることができる。
【００４５】
なお、以上説明した本実施の形態では、仮撮影処理と本撮影処理とを一連の動作として行い、ユーザー（及び撮影者）に１回の仮撮影に対して本撮影を１回行わせるようにしたが、先に仮撮影だけを複数回行わせて、複数種の構図教示画像Ｇ４に関する構図データを保存してから、本撮影だけを複数回連続して行わせるようにしてもよい。その場合、ユーザーは、本撮影を依頼する者に異なる構図の写真をまとめて撮影してもらうことができる。また、本撮影処理が終了したら、それに使用した構図教示画像Ｇ４に関する構図データを消去するようにしたが、それを消去せずに保存するようにしてもよい。その場合には、同じ構図で何回でも撮影（本撮影）を行わせることができる。
【００４６】
また、ユーザーが構図教示画像Ｇ４における人型画像Ｇ１の位置や大きさ等を自在に調整ができるようにしたが、例えば位置や大きさ等が異なる複数の構図データを内蔵フラッシュメモリ１１に予め記憶させておき、前述した仮撮影処理等では（図３）、各構図データに基づいて人型画像Ｇ１を合成した構図教示画像Ｇ４を表示装置６に表示させることにより、ユーザーに所望する位置や大きさ等のパターンを選択させ、選択されたパターンの構図データを記憶させるようにしてもよい。また、例えば男性や女性、子供といったような複数種類の人型画像Ｇ１のデータを内蔵フラッシュメモリ１１に記憶させておき、仮撮影時等にユーザーに所望するものを選択させるようにしてもよい。また、そうした人型画像Ｇ１のデータは、内蔵フラッシュメモリ１１でなくメモリ・カード１３に記憶させておいても構わない。位置指定画像である人型画像Ｇ１は人型に限らず、動物などの形や長方形など図形など様々な形でもよい。
【００４７】
また、本実施の形態では、構図教示画像Ｇ４に関する構図データを、撮影画像（被写体画像Ｇ２）、及びそれに対する人型画像Ｇ１の合成位置を示す位置情報、さらに人型画像Ｇ１の拡大（縮小）率や角度の各データとし、必要に応じて構図教示画像Ｇ４をメモリ上で再合成するようにしたが、合成した構図教示画像Ｇ４の画像データを構図データとしてそのまま記憶しておくようにしてもよい。但し、その場合、本実施の形態と同様に人型画像Ｇ１の合成位置の変更や人型画像Ｇ１の修正を可能とするためには、仮撮影時の撮影画像（被写体画像Ｇ２）については別途記憶しておく必要がある。また、それらの構図データは、メモリ・カード１３でなく内蔵フラッシュメモリ１１に記憶させるようにしても構わない。
【００４８】
【発明の効果】
以上説明したように本発明のカメラ装置及び被写体の撮影方法においては、使用者は、例えば所望する構図の取り込み画像を表示させ、かつ位置指定画像の位置に、主たる被写体を想定した箇所を要求しておくことにより、所定の撮影モードにおいて、全体の構図、及び構図内での主たる被写体の配置が自分が意図したものと同じ写真を他の者に簡単に撮影させることができるようにした。よって、自分が写った写真の撮影時における不便さを解消させることが可能となる。
【００４９】
さらに本発明のカメラ装置では、構図教示画像における主たる被写体の配置が必要に応じて自在かつ正確に調整できるようにした。よって、使い勝手が向上する。
【００５０】
また、構図教示画像における主たる被写体の前後方向の配置や向き等が必要に応じて自在かつ正確に調整できるようにした。よって、使い勝手がより一層向上する。
【００５１】
また、実際に撮影された画像の主たる被写体を位置指定画像として使用することができ、構図教示画像を、最終的に記録したい画像のイメージにより近い画像とすることができるようにした。よって、所定の撮影モードでのフレーミングをより行いやすくすることが可能となる。
【図面の簡単な説明】
【図１】本発明の一実施の形態を示すデジタルカメラのブロック図である。
【図２】同デジタルカメラの動作を示すフローチャートである。
【図３】仮撮影処理の手順を示すフローチャートである。
【図４】同仮撮影処理の手順を示す説明図である。
【図５】人型画像設定処理の手順を示すフローチャートである。
【図６】同人型画像設定処理による人型画像の修正例を示す図である。
【図７】本撮影処理の手順を示すフローチャートである。
【図８】同本撮影処理の手順を示す説明図である。
【図９】人型画像作成処理の手順を示すフローチャートである。
【図１０】同人型画像作成処理の手順を示す説明図である。
【図１１】人型画像作成処理で作成した人型画像を用いたときの仮撮影処理の手順を示す説明図である。
【符号の説明】
１    デジタルカメラ
２    ＣＣＤ
３    ＤＳＰ／ＣＰＵ
６    表示装置
１０    ＤＲＡＭ
１１    内蔵フラッシュメモリ
１３    メモリ・カード
Ｇ１    人型画像
Ｇ４    構図教示画像
【図１】
0003700687.tif 000002
【図２】
0003700687.tif 000003
【図３】
0003700687.tif 000004
【図４】
0003700687.tif 000005
【図５】
0003700687.tif 000006
【図６】
0003700687.tif 000007
【図７】
0003700687.tif 000008
【図８】
0003700687.tif 000009
【図９】
0003700687.tif 000010
【図１０】
0003700687.tif 000011
【図１１】
0003700687.tif 000012